(57)【要約】【課題】無線タグに記憶された管理情報に応じて、無線タグの発光手段の発光方法の指示を行うことが可能な無線タグ管理システム、通信装置を提供する。【解決手段】無線タグ通信装置は、無線タグのＩＣ回路部に記憶された管理対象に関する管理情報を取得する管理情報取得手段と、前記管理情報が、所定の管理条件を満たすか否かを判断する管理情報判断手段と、前記管理情報が所定の管理条件を満たすと判断された場合に、所定の管理条件に基づいた無線タグの発光手段の発光パターンを指示する発光パターン指示情報を、無線タグに送信する発光パターン指示情報送信手段を有し、無線タグは、発光パターン指示情報送信手段により送信された発光パターン指示情報を取得する発光パターン指示情報取得手段を備え、発光パターン制御部は、発光パターン指示情報取得手段によって、取得された、発光パターン指示情報に基づいて前記発光手段を発光させる。【選択図】図１
2010218200.tif 000002
【特許請求の範囲】
【請求項１】
管理対象に備えられ、情報を記憶するＩＣ回路部と、情報の送受信を行うタグアンテナと、発光手段と、前記発光手段の発光パターンを制御する発光パターン制御部とを有する無線タグと、
前記無線タグと情報送受信を行うための装置アンテナとを有する無線タグ通信装置とを備える無線タグ管理システムであって、
前記無線タグ通信装置は、
前記装置アンテナを介し、前記無線タグの前記ＩＣ回路部に記憶された前記管理対象に関する管理情報を取得する管理情報取得手段と、
前記管理情報取得手段によって取得した前記管理情報が、管理条件取得手段により取得された所定の管理条件を満たすか否かを判断する管理情報判断手段と、
前記管理情報判断手段によって前記管理情報が所定の管理条件を満たすと判断された場合に、前記所定の管理条件に対する記憶手段に記憶された無線タグの発光手段による発光のパターンを指示する発光パターン指示情報を前記装置アンテナを介して、前記無線タグに送信する発光パターン指示情報送信手段とを有し、
前記無線タグは、
前記発光パターン指示情報送信手段により送信された前記発光パターン指示情報を取得する発光パターン指示情報取得手段を備え、
前記発光パターン制御部は、前記発光パターン指示情報取得手段によって取得された、前記発光パターン指示情報に基づいて前記発光手段を発光させることを特徴とする無線タグ管理システム。
【請求項２】
前記無線タグ通信装置において、
前記管理情報判断手段は、前記管理情報取得手段によって取得した前記管理情報が、前記管理条件取得手段である入力手段により入力された所定の管理条件を満たすか否かを判断し、
前記発光パターン指示情報送信手段は、前記管理情報判断手段によって、前記管理情報が所定の管理条件を満たすと判断された場合に、前記入力手段により入力された所定の管理条件に対する無線タグの発光手段の発光パターンに基づいた前記発光パターンを指示する発光パターン指示情報を前記装置アンテナを介して、前記無線タグに送信することを特徴とする請求項１に記載の無線タグ管理システム。
【請求項３】
前記無線タグ通信装置は、
前記所定の管理条件として、前記管理情報に対応する複数の管理条件を有し、
前記管理情報判断手段は、前記管理情報取得手段によって取得した前記管理情報が、前記複数の管理条件のうちどの条件を満たすかを判断し、
前記発光パターン指示情報送信手段は、前記管理情報判断手段によって満たすと判断された管理条件に基づく、前記記憶手段に記憶された無線タグの発光手段の発光パターンを指示する発光パターン指示情報を前記装置アンテナを介して、前記無線タグに送信し、
前記無線タグは、前記管理情報に対応する複数の発光手段を有し、
前記発光パターン制御部は、前記発光パターン指示情報取得手段によって取得した前記発光パターン指示情報に基づいて前記複数の発光手段を発光させることを特徴とする請求項１又は２に記載の無線タグ管理システム。
【請求項４】
前記管理情報は、少なくとも前記管理対象の貸出し日時、貸出し回数を含む履歴情報を有し、
前記所定の管理条件は、少なくとも前記管理対象が一定期間内に貸し出された回数に関する条件を有することを特徴とする請求項１ないし３のいずれかに記載の無線タグ管理システム。
【請求項５】
前記無線タグ通信装置は、報知手段を備え、
前記報知手段は、前記発光パターン指示情報送信手段によって送信する前記発光パターン指示情報に基づいて報知を行うことを特徴とする請求項１ないし４のいずれかに記載の無線タグ管理システム。
【請求項６】
請求項１ないし５のいずかに記載の無線タグ管理システムに用いられ、無線タグと情報送受信を行うための装置アンテナを有する無線タグ通信装置であって、
前記装置アンテナを介し、前記無線タグの前記ＩＣ回路部に記憶された管理対象に関する管理情報を取得する管理情報取得手段と、
前記管理情報取得手段によって取得した前記管理情報が、管理条件取得手段により取得された所定の管理条件を満たすか否かを判断する管理情報判断手段と、
前記管理情報判断手段によって前記管理情報が所定の管理条件を満たすと判断された場合に、所定の管理条件に基づいた、記憶手段に記憶された無線タグの発光手段の発光パターンを指示する発光パターン指示情報を前記装置アンテナを介して、前記無線タグに送信する発光パターン指示情報送信手段とを有することを特徴とする無線タグ通信装置。
【発明の詳細な説明】
【技術分野】
【０００１】
本発明は、管理対象に備えられた無線タグに保持された情報を読み取ることで物品等の管理を行う無線タグ管理システム、及びこれに用いる無線タグ通信装置に関するものである。
【背景技術】
【０００２】
従来、店舗、物流倉庫などの物品管理において、物流におかれた物の管理を行う管理システムがある（例えば、特許文献１参照）。前記特許文献１に記載の管理システムは、物の管理を行いやすくするために、物に取り付けられた物品タグにＬＥＤ（Ｌｉｇｈｔ  Ｅｍｉｔｔｉｎｇ  Ｄｉｏｄｅ）などで形成される色調変化部とが備えられ、前記色調変化部の色調が物の生産日時からの経過時間に基づき変化することで、その商品の賞味期限が一目でわかりやすいように管理されている。
【先行技術文献】
【特許文献】
【０００３】
【特許文献１】特開２００２−６００１７号公報
【発明の概要】
【発明が解決しようとする課題】
【０００４】
しかしながら、前記従来技術のような管理システムでは、あらかじめ定められた条件で色調が変化するのみであり、無線タグ通信装置で物品に備えられた物品タグが記憶する情報を読取って、その情報に応じた発光パターンなどを前記無線タグ通信装置から指示することはできなかった。
【０００５】
本発明は、無線タグに記憶された各種管理情報に応じて、無線タグの発光手段の発光方法の指示を行うことが可能な無線タグ管理システム及び無線タグ通信装置を提供することを目的とする。
【課題を解決するための手段】
【０００６】
上記目的を達成するために、第１発明の無線タグ管理システムは、管理対象に備えられ、情報を記憶するＩＣ回路部と、情報の送受信を行うタグアンテナと、発光手段と、前記発光手段の発光パターンを制御する発光パターン制御部とを有する無線タグと、前記無線タグと情報送受信を行うための装置アンテナとを有する無線タグ通信装置とを備える無線タグ管理システムであって、前記無線タグ通信装置は、前記装置アンテナを介し、前記無線タグの前記ＩＣ回路部に記憶された管理対象に関する管理情報を取得する管理情報取得手段と、前記管理情報取得手段によって取得した前記管理情報が、管理条件取得手段により取得された所定の管理条件を満たすか否かを判断する管理情報判断手段と、前記管理情報判断手段によって前記管理情報が所定の管理条件を満たすと判断された場合に、前記所定の管理条件に対する記憶手段に記憶された無線タグの発光手段による発光のパターンを指示する発光パターン指示情報を前記装置アンテナを介して、前記無線タグに送信する発光パターン指示情報送信手段とを有し、前記無線タグは、前記発光パターン指示情報送信手段により送信された前記発光パターン指示情報を取得する発光パターン指示情報取得手段を備え、前記発光パターン制御部は、前記発光パターン指示情報取得手段によって取得された、前記発光パターン指示情報に基づいて前記発光手段を発光させることを特徴とする。
【０００７】
第２発明の無線タグ管理システムは、上記第１発明において、前記無線タグ通信装置において、前記管理情報判断手段は、前記管理情報取得手段によって取得した前記管理情報が、前記管理条件取得手段である入力手段により入力された所定の管理条件を満たすか否かを判断し、前記発光パターン指示情報送信手段は、前記管理情報判断手段によって、前記管理情報が所定の管理条件を満たすと判断された場合に、前記入力手段により入力された所定の管理条件に対する無線タグの発光手段の発光パターンに基づいた前記発光パターンを指示する発光パターン指示情報を前記装置アンテナを介して、前記無線タグに送信することを特徴とする。
【０００８】
第３発明の無線タグ管理システムは、上記第１又は第２発明において、前記無線タグ通信装置は、前記所定の管理条件として、前記管理情報に対応する複数の管理条件を有し、前記管理情報判断手段は、前記管理情報取得手段によって取得した前記管理情報が、前記複数の管理条件のうちどの条件を満たすかを判断し、前記発光パターン指示情報送信手段は、前記管理情報判断手段によって満たすと判断された管理条件に基づく、前記記憶手段に記憶された無線タグの発光手段の発光パターンを指示する発光パターン指示情報を前記装置アンテナを介して、前記無線タグに送信し、前記無線タグは、前記管理情報に対応する複数の発光手段を有し、前記発光パターン制御部は、前記発光パターン指示情報取得手段によって取得した前記発光パターン指示情報に基づいて前記複数の発光手段を発光させることを特徴とする。
【０００９】
第４発明の無線タグ管理システムは、上記第１ないし第３発明のいずれかにおいて、前記管理情報は、少なくとも前記管理対象の貸出し日時、貸出し回数を含む履歴情報を有し、前記所定の管理条件は、少なくとも前記管理対象が一定期間内に貸し出された回数に関する条件を有することを特徴とする。
【００１０】
第５発明の無線タグ管理システムは、上記第１ないし第４発明のいずれかにおいて、前記無線タグ通信装置は、報知手段を備え、前記報知手段は、前記発光パターン指示情報送信手段によって送信する前記発光パターン指示情報に基づいて報知を行うことを特徴とする。
【００１１】
第６発明の無線タグ通信装置は、上記第１ないし第５発明のいずかに記載の無線管理システムに用いられ、無線タグと情報送受信を行うための装置アンテナを有する無線タグ通信装置であって、前記装置アンテナを介し、前記無線タグの前記ＩＣ回路部に記憶された管理対象に関する管理情報を取得する管理情報取得手段と、前記管理情報取得手段によって取得した前記管理情報が、管理条件取得手段により取得された所定の管理条件を満たすか否かを判断する管理情報判断手段と、前記管理情報判断手段によって前記管理情報が所定の管理条件を満たすと判断された場合に、所定の管理条件に基づいた、記憶手段に記憶された無線タグの発光手段の発光パターンを指示する発光パターン指示情報を前記装置アンテナを介して、前記無線タグに送信する発光パターン指示情報送信手段とを有することを特徴とする。
【発明の効果】
【００１２】
請求項１に係る発明の無線タグ管理システムによれば、無線タグの管理情報に応じて、無線タグの発光手段の発光方法を無線タグ通信装置から指示することができる。これにより、管理システムの運用途中で、その管理対象の管理情報が追加、修正されて変更したような場合であっても、無線タグに備えられた発光手段の発光パターンを確認することで、所定の管理条件を満たす管理情報を有する無線タグを容易に把握することができる。そのため、無線タグと無線タグ通信装置との必要最小限の構成で管理対象の管理を効率よく行うことができる。
【００１３】
請求項２に係る発明の無線タグ管理システムによれば、請求項１に記載の発明の効果に加え、ユーザが入力手段により管理条件を入力して、所定の管理条件を満たす管理情報を有する無線タグの発光手段の発光パターンを指示することができる。そのため、ユーザが所望とする所定の管理条件を満たす物品などの管理対象を容易に把握することができる。
【００１４】
請求項３に係る発明の無線タグ管理システムによれば、請求項１又は２に記載の発明の効果に加え、管理対象の管理条件を組み合わせてより詳細な条件設定を行うことができ、管理対象が有する管理情報をさらに確実に把握することができる。
【００１５】
請求項４に係る発明の無線タグ管理システムによれば、請求項１ないし３のいずれかに記載の発明の効果に加え、管理情報として、管理対象の貸出し日時、貸出し回数を含む履歴情報を有し、所定の管理条件として、管理対象が一定期間内に貸し出された回数に関する条件を有するので、例えば図書館などにおいて、貸出し管理を行う際に所望の物品がどこに収納されているか発光パターンにより確認を効果的に行うことができる。
【００１６】
請求項５に係る発明の無線タグ管理システムによれば、請求項１ないし４のいずれかに記載の発明の効果に加え、無線タグ通信装置の報知手段によって発光パターンを確認しながら、対応する発光パターンで発光している無線タグが備えられる管理対象をさらに確実に把握することができる。
【００１７】
請求項６に係る発明の無線タグ通信装置は、無線タグの管理情報に応じて、無線タグの発光手段の発光方法を無線タグ通信装置から指示することができる。これにより、無線タグの管理情報に応じて、無線タグの発光手段の発光方法を無線タグ通信装置から指示することができる。
【図面の簡単な説明】
【００１８】
【図１】本実施形態の無線タグ管理システムについて、収納棚に収納されている物品の物品管理に適用した場合の一例を表す図である。
【図２】無線タグ管理システムに用いられるハンディリーダの詳細機能を表す機能ブロック図である。
【図３】無線タグに備えられた無線タグ回路素子の機能的構成の一例を表すブロック図である。
【図４】無線タグのメモリ部に記憶される記憶内容例のテーブルを示す図である。
【図５】無線タグに備えられる発光手段の発光パターン例のテーブルを示す図である。
【図６】ハンディリーダのＣＰＵによって実行される制御手順を表すフローチャートである。
【図７】無線タグの制御部によって実行される制御手順を表すフローチャートである。
【図８】ハンディリーダのＣＰＵによって実行される制御手順を表すフローチャートである。
【発明を実施するための形態】
【００１９】
以下、本発明の実施の形態を図面を参照しつつ説明する。図１は、本実施形態の無線タグ管理システムについて、例えば、図示しない収納棚に収納されているような物品の物品管理に適用した場合の一例を示す図である。図１の無線タグ管理システム４００においては、例えば、書籍などの管理対象である物品Ｍに、発光ダイオードなどの発光手段２６０が備えられた無線タグＴが貼り付けられており、ハンディリーダ１００（無線タグ通信装置）と無線タグＴとの間において、情報の送受信が行われる。ハンディリーダ１００は無線タグＴに記憶された管理情報を取得して、その管理情報に基づいて無線タグＴの発光手段２６０に対する発光パターンを決定する。そして、無線タグＴの前記発光手段２６０に、発光パターンを指示する発光パターン指示情報を送信する。なお、この図１に示すように、無線タグ管理システム４００は、管理対象である物品Ｍに備えられた発光手段２６０を有する無線タグＴと、ハンディハンディリーダ１００とから構成されている。以下、各構成について順を追って説明する。
【００２０】
図２は、上記無線タグ管理システム４００に用いられるハンディリーダ１００の詳細機能を表す機能ブロック図である。この図２において、ハンディリーダ１００は、無線タグＴに対し無線通信を行うためのリーダアンテナ（装置アンテナ）１５２、ＣＰＵ（中央演算装置）１５４と例えばＲＡＭやＲＯＭ等からなるメモリ１５５を備える制御部１８０を有している。また、ユーザからの指示や情報が入力される操作キー、電源ＯＮ／ＯＦＦキーなどの入力手段１７０と、各種情報やメッセージを表示するディスプレイである表示手段１６０と、前記リーダアンテナ１５２を介して無線タグＴの後述する無線タグ回路素子Ｔｏへ無線通信によりアクセスすると共に、前記無線タグ回路素子Ｔｏから読み出された情報を処理する高周波回路１５３を有する。
【００２１】
前記ＣＰＵ１５４は、ＲＡＭの一時記憶機能を利用しつつＲＯＭに予め記憶されたプログラムに従って情報処理を行い、それによって無線タグＴとの間で各種情報信の送受信を行ったり、ハンディリーダ１００の各部の基本動作の制御を行うものである。
【００２２】
図３は、上記無線タグＴに備えられた無線タグ回路素子Ｔｏの機能的構成の一例を表すブロック図である。図３において、無線タグ回路素子Ｔｏは、制御部２５７からの指示に基づき電力供給を受けて発光する発光手段２６０と、前記ハンディリーダ１００のリーダアンテナ１５２と無線通信もしくは電磁誘導により非接触で信号の送受信を行う上記タグアンテナ２５２と、このタグアンテナ２５２に接続された上記ＩＣ回路部２５１とを有している。前記発光手段２６０は、発光ダイオード、有機ＥＬなどから構成される。なお、発光手段２６０は、１つの無線タグに対して複数設けられてもよく、平面的に面積を有するシート状に構成されていてもよい。その他、７セグ発光ダイオードなどが設けられて、数字表示がされてもよい。
【００２３】
また、前記ＩＣ回路部２５１は、タグアンテナ２５２により受信された質問波を整流する整流部２５５と、この整流部２５５により整流された質問波のエネルギを蓄積し駆動電源とするための電源部２５６と、上記タグアンテナ２５２により受信された質問波からクロック信号を抽出して制御部２５７に供給するクロック抽出部２５８と、所定の情報信号を記憶し得るメモリ部２５０と、上記タグアンテナ２５２に接続された変復調部２５９を有している。また、前記制御部２５７は、変復調部２５９等を介して上記無線タグ回路素子Ｔｏの作動を制御したり、前記発光手段へ発光パターンの指示等を行う。
【００２４】
図４は、上記無線タグＴのメモリ部２５０に記憶される記憶内容例のテーブルを示す図である。本実施形態では、上述の図１ように、無線タグＴが書籍などの物品Ｍに備えられており、前記物品Ｍの貸出し状況に関する情報が記憶されている。例えば、図書館などにおいて、書籍を貸し出すときに、ハンディリーダで貸し出し日時や貸し出した人の氏名などの情報を書籍に備えられた無線タグ回路素子へ書き込むようにする。具体的には図４のように、ある書籍に備えられたタグＡに関しては、物品種別として「貸出」、その書籍の貸し出しのあった日付「２００８／９／６」、その書籍を借りた人の氏名「山田太郎」などが記憶されている。また、別の書籍に設けられたタグＢにも、同様の情報が記憶されている。なお、種別として、「貸出」だけでなく、「返却」なども記憶するようにしてもよい。
【００２５】
図５は、無線タグＴに備えられる発光手段２６０の発光パターン例のテーブルを示す図であり、この実施例では、あらかじめハンディリーダのメモリ部１５５に記憶されている。無線タグＴの発光手段２６０に対して、制御部２５７が制御可能な発光パターンとして、図５に示すように、パターンとパラメータが関連付けられて設定されている。例えば、発光手段２６０に対して、３段階の明るさのうち非常に明るい態様で光らせたいとき、図５において、パターンの種類は「明るさ」なので番号は「１」、パラメータの種類は「明度」、態様は「非常に明るい」なので、番号は「１」を指定するなどして、上記ハンディリーダ１００から、発光コマンドが所定のタグＩＤを指定して送信される。同様に、図５の他のパターンについて説明すると、例えばパターンの種類が「点滅」であれば、パラメータの種類が「頻度」の態様として「１秒毎、３秒毎、５秒毎」などと設定される。また、パターンの種類が「色」であれば、対応するパラメータの色種の態様は「赤、青、黄」などと設定される。
【００２６】
また、前記発光手段２６０が単独の点光源ではなく、ある程度の面積を有するシート状の発光手段で形成されたり、複数の発光手段で面状に構成されている場合には、パターンの種類が「面積」であれば、その面積のうち、どれだけの大きさ、あるいはどの位置をどのような態様で発光させるか「右半分、左半分、全体」などのパラメータが設定される。その他、発光パターンの種類として、「形」であれば、パラメータの態様として、「○、×」あるいは数字などのパラメータが設定される。
【００２７】
次に、前記無線タグ管理システムにおけるハンディリーダ１００と無線タグＴの動作について順に説明する。まず、図６は、ハンディリーダ１００のＣＰＵ１５４によって実行される制御手順を表すフローチャートである。この例では、電源が投入されるとこのフローが開始される（ＳＴＡＲＴ位置）。また、図４及び図５を用いて本実施例における具体例を説明する。
【００２８】
まず、ステップＳ１１０において、前述の図２の入力手段１７０によって、管理対象である物品に対する所定の管理条件についての入力を行う。例えば、表示手段１６０に管理条件入力画面が表示され、ユーザが操作入力キーを操作することにより、表示手段１６０に複数表示された管理条件のリストの中から所望の管理条件を選択する。その他、ユーザが直接に入力欄から所望の管理条件を入力するようにしてもよい。
【００２９】
具体的に、本実施例では、前記所定の管理条件として、図示しない表示手段の管理条件リストから、「最近１ヶ月間に３回以上貸出しのあったもの」という条件を選択して管理条件として入力するものとする。
【００３０】
次に、ステップＳ１２０において、高周波回路１５３に制御信号を出力し、無線タグ回路素子Ｔｏのメモリ部２５０に記録されたデータを読み出すタグ読み取り信号として、所定の変調を行った応答要求コマンドをリーダアンテナ１５２を介して通信領域内に存在する無線タグ回路素子Ｔｏに送信する。
【００３１】
ステップＳ１３０では、上記応答要求コマンドに対応して通信領域内の無線タグＴから無線タグＩＤを取得したかどうか判断される。無線タグＩＤが取得されない場合には、取得されるまでループ待機する。一方、無線タグＩＤを受信した場合には、判定が満たされてステップＳ１４０に移る。
【００３２】
ステップＳ１４０では、取得した前記無線タグＩＤを指定して、その無線タグに記憶される管理情報を取得するための管理情報要求コマンドを無線タグに送信する。
【００３３】
ステップＳ１５０では、前記管理情報要求コマンドに対応して受信される、指定された前記無線タグＩＤに対する管理情報を取得して、次のステップＳ１６０へ進む。
【００３４】
ステップＳ１６０では、取得した前記管理情報について、ステップＳ１１０で入力された所定の管理条件を満たしているかどうかが判断される。前記管理情報が所定の管理条件を満たしていると判断された場合には、ステップＳ１７０の処理へ進む。一方、前記管理情報が所定の管理条件を満たしていない場合には、ステップＳ１８０の処理へ進む。
【００３５】
ここで、具体的に図４を用いて説明すると、実施例では、管理条件として、「最近１ヶ月間に３回以上貸出しのあったもの」が入力されている。仮に、現在「２００８年１１月１日」であり、図１のように、タグＡが物品Ｍ１、タグＢが物品Ｍ２に備えられているものとする。図４において、タグＡの種別「貸出」に対する２００８年１０月における日時として、「２００８／１０／３１」、「２００８／１０／２０」、「２００８／１０／８」、「２００８／１０／２」の４回が記憶されている。従って、タグＡが付された書籍（図１の物品Ｍ１）は２００８年１０月に４回貸し出しされており、３回以上貸出しが行われたことになり、「最近１ヶ月間に３回以上貸出しのあったもの」という管理条件を満たすことになるので、この場合はステップＳ１７０へ進む。なお、ハンディリーダには、図示しないタイマが備えられているものとする。
【００３６】
一方、タグＢの種別「貸出」に対する２００８年１０月における日時として、「２００８／１０／１２」が記憶されている。従って、タグＢが付された書籍（図１の物品Ｍ２）は２００８年１０月に１回のみ貸出しが行われたので、「最近１ヶ月間に３回以上貸出しのあったもの」という管理条件を満たさないことになるので、この場合は、ステップＳ１８０へ進む。
【００３７】
ステップＳ１７０では、ステップＳ１６０で所定の管理条件を満たすと判断された管理情報を有する無線タグ対して、タグＩＤを指定して、あらかじめ定められた所定の管理条件に対応する発光の仕方を指示するための発光パターン指示情報を前記無線タグに送信して、次のステップＳ１７５へ進む。
【００３８】
具体的には、「最近１ヶ月間に３回以上貸出しのあったもの」という管理条件を満たす場合に、無線タグの発光手段の明るさを非常に明るく発光させたいとき、図５において、パターン「１」、パラメータ「１」などとして、発光コマンドである発光パターン指示情報を送信する。
【００３９】
ステップＳ１７５では、前記発光パターン指示情報に対応させて、表示手段に発光パターンの確認画面を表示させる。どのような態様で無線タグの発光手段が発光するのか、ユーザにわかりやすいように、例えば、発光手段の発光例が画面表示される。
【００４０】
次に、ステップＳ１８０では、ステップＳ１３０で取得したタグＩＤについて、対応する管理情報を取得していないタグＩＤが存在するか否かが判断される。管理情報を取得していないタグＩＤが存在する場合には、ステップＳ１４０へ戻る。一方、管理情報を取得していないタグＩＤが存在しない場合には、このフローを終了する。
【００４１】
続いて、無線タグＴの動作について説明する。図７は、無線タグＴの制御部２５７によって実行される制御手順を表すフローチャートである。この例ではハンディリーダから応答要求コマンドを受信すると、このフローが開始される（ＳＴＡＲＴ位置）。
【００４２】
まず、ステップＳ２１０では、ハンディリーダからの応答要求コマンドに対して、ＩＣ回路部２５１のメモリ部２５０に記憶されたタグＩＤを応答して、ステップＳ２２０へ進む。
【００４３】
ステップＳ２２０では、前記ハンディリーダから管理情報要求コマンドを受信したか否かが判断される。管理情報要求コマンドを受信しない場合は、前記管理情報要求コマンドを受信するまでループ待機する。一方、前記管理情報要求コマンドを受信した場合には、ステップＳ２３０の処理へ進む。
【００４４】
ステップＳ２３０では、ＩＣ回路部２５１のメモリ部２５０に記憶される管理情報を応答して、次のステップＳ２５０へ移る。
【００４５】
ステップＳ２５０では、前記発光パターン指示情報を受信したかが判断される。発光パターン指示情報を受信しない場合には、このフローを終了する。発光パターン指示情報を受信するまで所定時間待機して終了するようにしてもよい。一方、前記発光パターン指示情報を受信した場合には、ステップＳ２６０へ進む。
【００４６】
ステップＳ２６０では、取得した前記発光パターン指示情報に基づき、発光手段２６０に対する発光制御を行い、このフローを終了する。なお、この発光パターン指示情報として、発光手段の消灯に関する情報が含まれていてもよく、例えば、所定時間経過後に発光手段を消灯させるというようにしてもよい。
【００４７】
具体的には、実施例では、前述のように、ハンディリーダ１００から送信された、パターン「１（明るさ）」、パラメータ「１（非常に明るい）」の発光パターン指示情報に基づいて、発光手段２６０に対する発光制御が行われる。具体的には、図１において、物品Ｍ１に備えられたタグＡの発光手段２６０が前記発光パターン指示情報に従って、非常に明るく発光する。一方、物品Ｍ２に備えられたタグＢの発光手段２６０は発光しない。
【００４８】
以上において、ハンディリーダ１００のＣＰＵ１５４によって実行されるステップＳ１５０の処理が、前記無線タグＴの前記ＩＣ回路部２５１に記憶された前記物品に関する管理情報を取得する管理情報取得手段に該当する。また、ハンディリーダ１００のＣＰＵ１５４によるステップＳ１６０の処理が、前記管理情報が、所定の管理条件を満たすか否かを判断する管理情報判断手段に相当する。ハンディリーダ１００のＣＰＵ１５４によるステップＳ１７０の処理が、無線タグの発光手段の発光パターンを指示する発光パターン指示情報を前記無線タグに送信する発光パターン指示情報送信手段を構成する。そして、無線タグの制御部によって実行されるステップＳ２４０が、前記発光パターン指示情報を取得する発光パターン指示情報取得手段である。
【００４９】
本実施形態において、無線タグの管理情報をハンディリーダで読取って、その結果に応じて、無線タグの発光手段の発光方法をハンディリーダから指示することができる。これにより、その管理対象としての物品がどのような管理情報を有しているのかを、無線タグに備えられた発光手段の発光パターンを目視により確認するだけで、容易に把握することができる。そのため、無線タグと無線タグ通信装置との必要最小限の構成で物品などの管理対象の管理を効率よく行うことができる。
【００５０】
また、ハンディリーダ側で、無線タグの管理情報を取得して、所定の管理条件を満たすか否かの判断を行うので、無線タグ側の処理負担が少ない。加えて、所定の管理条件を満たす管理情報を有する無線タグの発光手段の発光方法を指示することができるので、例えば、ユーザが物品管理の運用途中で管理条件を適宜変更させて、所定の管理条件を満たす物品を容易に探索することができる。
【００５１】
なお、上記実施形態は、上記以外にも、種々の変形が可能である。上記実施形態では、ハンディリーダから発光パターン指示情報を無線タグへ送信する場合に、表示手段に発光パターンの確認画面を表示させたが、これに限られず、無線タグに備えられた発光手段をハンディリーダにも設けて、無線タグの発光手段に指示する前記発光パターンと同様に、ハンディリーダの発光手段も発光させてもよい。また、無線タグの発光手段に発光させる発光パターンについて、その説明文をハンディリーダの表示手段に表示させてもよい。なお、これらの発光パターン確認について、行う必要が無い場合には、図６のフローのステップＳ１７５を省略して、ステップＳ１７０からステップＳ１８０へ進む。
【００５２】
また、実施例では、発光パターンがあらかじめハンディリーダ１００のメモリ部１５５に記憶されているが、ユーザがハンディリーダ１００の入力手段１７０から所望の発光パターンを入力して前記メモリ部１５５に記憶させるようにしてもよい。さらに、上記実施形態では、管理条件を管理条件取得手段としてハンディリーダの入力手段により入力したが、図示しないＰＣ端末などによって設定された管理条件を無線ＬＡＮなどを介して受信して記憶手段に記憶するようにしてもよい。加えて、この無線タグ管理システムは管理対象が物品に限られず、管理対象を人にして、人の管理などに使用されてもよい。
【００５３】
（２）管理条件を入力手段から入力しない場合
上記実施形態では、所定の管理条件を入力手段１７０から入力して、無線タグの管理情報が所定の管理条件を満たすか否かを判断して、その結果に基づいて、無線タグに発光パターンを指示していたが、あらかじめ、ハンディリーダ１００のメモリ部１５５（記憶手段）に記憶された管理条件を満たすか否かの判断を行ってもよい。この場合は、図６の、ハンディリーダ１００のＣＰＵ１５４によって実行される制御手順を表すフローチャートにおいて、ステップＳ１１０の処理を省略して、ステップＳ１２０へ移る。また、ステップＳ１６０の処理で、取得した管理情報が所定の管理条件を満たすか否かが判断され、所定の管理条件を満たすと判断された場合には、ステップＳ１７０以降の処理へ進む。一方、所定の管理条件を満たさないと判断された場合には、ステップＳ１８０へ進む。
【００５４】
なお、ステップＳ１７０では、所定の管理条件に対してあらかじめ定められた、上述の図４のような発光パターンに基づいて、発光パターン指示情報が無線タグに送信される。
【００５５】
以上の変形例では、所定の管理条件を入力することなく、あらかじめ記憶手段に記憶された所定の管理条件について、例えば、その管理情報を有する無線タグを探索して、収納場所の確認を行うことができ効率よく物品管理を行うことができる。この場合、記憶手段に記憶された所定の管理条件が、管理条件取得手段により取得された所定の管理条件に相当する。
【００５６】
（３）複数の管理条件を用いる場合
この変形例の無線タグ管理システムにおいて、図７及び図８のフローチャートを用いて説明する。図８は、ハンディリーダ１００のＣＰＵ１０４によって実行される制御手順を表すフローチャートであり、前記実施形態の図６に対応する図である。また、図４及び図５を用いて本実施例における具体例を説明する。なお、上述の図６及び図７と同様の手順は説明を省略する。
【００５７】
まず、ハンディリーダ１００の動作について説明すると、図８のステップＳ１１１において、前記入力手段によって、管理対象としての物品に対する所定の管理条件として、本変形例では、複数の管理条件の入力を行い、ステップＳ１２０以降の処理へ進む。例えば、表示手段に管理条件入力画面が表示され、ユーザが操作入力キーを操作することにより、表示手段に複数表示された管理条件のリストの中から所望の管理条件を複数選択する。その他、ユーザが直接に入力欄から所望の管理条件を入力したものを含めて所定の管理条件として選択するようにしてもよい。
【００５８】
具体的には、前述の実施形態では、「最近１ヶ月間に３回以上貸出しのあったもの」という管理条件のみが選択されたが、本変形例では、さらに、管理条件として、特定の者が借りた書籍を探すために、「最近１ヶ月間に山田太郎が借りた書籍」というように氏名を特定して管理条件を決定するものとする。
【００５９】
また、ステップＳ１６１では、前記管理情報が、ステップＳ１１１で決定された複数の管理条件のいずれかについて、管理条件を満たしているか否かが判断される。いずれの管理条件も満たさないと判断された場合には、ステップＳ１８０の処理へ進む。一方、複数ある管理条件のうち、いずれかの管理条件を満たしていると判断された場合には、ステップＳ１７０へ進む。
【００６０】
具体的には、図４を用いて説明すると、管理条件として、本変形例では、「最近１ヶ月間に３回以上貸出しのあったもの」、「最近１ヶ月間に山田太郎が借りた書籍」が入力されている。現在「２００８年１１月１日」であり、この変形例では、図１のように、タグＡが物品Ｍ４、タグＢが物品Ｍ３に備えれれているものとする。上述のように、タグＡの場合には、種別「貸出」に対する２００８年１０月の日時として、「２００８／１０／３１」、「２００８／１０／２０」、「２００８／１０／８」、「２００８／１０／２」の４回が記憶されているので、「最近１ヶ月間に３回以上貸出しのあったもの」という管理条件を満たす。さらに、これらの４回の貸出し履歴のうち、「２００８／１０／２０」は「山田太郎」に貸し出しが行われており、「最近１ヶ月間に山田太郎が借りた書籍」の条件も満たすことになり、上記２つの条件のいずれも満たすことになるので、図８のステップＳ１７０へ進む。
【００６１】
一方、タグＢの場合には、種別「貸出」に対する日時として、「２００８／１０／１２」のみしか記憶されていないので、「最近１ヶ月間に３回以上貸出しのあったもの」という管理条件を満たさない。それに対して、「２００８／１０／１２」に貸し出し処理が行われた者については、「山田太郎」であるので、「最近１ヶ月間に山田太郎が借りた書籍」の条件は満たすことになるので、図８のステップＳ１７０へ進む。
【００６２】
ステップＳ１７０では、前記ステップＳ１６１で満たすと判断された管理条件に対して、あらかじめ定められた発光パターン指示情報を無線タグのタグＩＤを指定して送信する。上記の例においては、管理条件として、「最近１ヶ月間に３回以上貸出しのあったもの」、「最近１ヶ月間に山田太郎が借りた書籍」のどちらの条件も満たす場合、「最近１ヶ月間に３回以上貸出しのあったもの」の条件のみを満たす場合、「最近１ヶ月間に山田太郎が借りた書籍」の条件を満たす場合のそれぞれについて、発光パターンが定められており、各々に対応した発光パターン指示情報が無線タグに送信される。
【００６３】
次に、無線タグの動作について、制御部によって実行される制御手順を図７を用いて説明する。本変形例において、無線タグＴには複数の発光手段２６０Ａが備えられており（図１参照）、ステップＳ２６０では、取得した発光パターン指示情報に基づき、複数の発光手段２６０Ａのそれぞれを発光させて、このフローを終了する。なお、この発光パターン指示情報には、複数ある発光手段のうちの、どの発光手段が、どの発光パターンで発光するかの指示情報も含まれるものとする。具体的には、図１において、物品Ｍ４に備えられたタグＡは２つの管理条件を満たしているので、前記発光パターン指示情報に従って、それに対応する２つの発光手段がそれぞれの発光パターンで発光する。一方、物品Ｍ３に備えられたタグＢは１つの管理条件を満たしているので、それに対応する１つの発光手段が発光する。
【００６４】
以上、本変形例では、物品の管理条件を組み合わせてより詳細な条件設定を行うことができ、物品が有する管理情報をさらに確実に把握することができる。
【００６５】
なお、この変形例では、無線タグに複数の発光手段が備えられている場合を説明したが、この例に限られず、無線タグに発光手段が１つ備えられていて、どの条件を満たすかによって発光手段の発光パターンの態様を変化させて、対応する無線タグの発光手段を発光させるようにしてもよい。また、シート状の発光手段などである場合には、どの管理条件を満たすかによって、どの領域を発光させるかというような発光パターン指示情報を指示するような構成としてもよい。
【００６６】
その他、一々例示はしないが、本発明は、その趣旨を逸脱しない範囲内において、種々の変更が加えられて実施されるものである。
【符号の説明】
【００６７】
Ｔ      無線タグ
１００  ハンディリーダ
１６０  表示手段
１７０  入力手段
２６０  発光手段
【図１】
2010218200.tif 000003
【図２】
2010218200.tif 000004
【図３】
2010218200.tif 000005
【図４】
2010218200.tif 000006
【図５】
2010218200.tif 000007
【図６】
2010218200.tif 000008
【図７】
2010218200.tif 000009
【図８】
2010218200.tif 000010